(57)【要約】【課題】自動車美装の作業等に用いる照明器具として、汚さず、傷つけず、安全、かつ長時間連続運用を低コストで可能にする額帯電灯を提供する。【解決手段】商用電源による蛍光灯を光源とする額帯電灯であって、ユーザの額部に装着する額帯と、その額帯の前部に固定され蛍光灯による発光部と、発光部を被覆する透光性の軟質カバーを備えた。また、発光部を額帯に保持する保持手段として、ボールおよびボールを所定角度内で回動自在に保持するハウジングにより構成されたボールジョイントを用いた。そして、軟質カバーには蛇腹を設けた。さらに、発光部の直下で額帯の前部に遮光ツバを配設した。【選択図】図１０
0003125671.tif 000002
【実用新案登録請求の範囲】
【請求項１】
商用電源による蛍光灯（１）を光源とする額帯電灯であって、
ユーザの額部に装着する額帯と、
前記額帯の前方である額帯前部（２）に固定され前記蛍光灯（１）による発光部と、
前記発光部を被覆する透光性の軟質カバー（３）を備えたことを特徴とする額帯電灯。
【請求項２】
前記発光部を前記額帯前部（２）に保持する保持手段として、
ボールおよび前記ボールを所定角度内で回動自在に保持するハウジングにより構成されたボールジョイント（４）を用いたことを特徴とする請求項１に記載の額帯電灯。
【請求項３】
前記軟質カバー（３）には蛇腹（５）を設けたことを特徴とする請求項１または請求項２に記載の額帯電灯。
【請求項４】
前記発光部の直下で前記額帯前部（２）に遮光ツバ（６）を配設したことを特徴とする請求項１ないし請求項３の何れか１項に記載の額帯電灯。
【考案の詳細な説明】
【技術分野】
【０００１】
本考案は人の額に装着することにより装着者の視線に沿った前方を照明し、しかも両手を自由に使える額帯電灯に関するものである。
【背景技術】
【０００２】
従来の額帯電灯の代表例として、坑内作業者（以下、単に「ユーザ」という）用の額帯電灯があった。この額帯電灯は、発光部と電源部を分離した２ピース構造であり、ユーザの額に装着する発光部から電源部を分離して発光部を小型軽量化し、電源部は長時間の点灯を維持するため大型で重い電池を収納する電池ケース、スイッチ、および装着手段等で構成される。この種の額帯電灯は、ユーザの腰ベルト等に固定した電池ケースと、ユーザの額に装着した発光部との間を電線で接続するように構成されている。
【０００３】
一方、医療行為を目的とする額帯電灯として、コードレス、軽量、小型化を図り、しかも自然光に近い光源を用いることにより、患部の色別診断を可能とし、かつ、できる限り長時間の使用を可能にしたものもあった（特許文献１）。
【０００４】
すなわち、電池の容量を増大させるため、額帯の前方に連結板を取り付け、この連結板の上方を額帯のほぼ中心方向に折り曲げられた折曲部に、電池を収納した電池ケースを、その重心が中心寄りになるように取り付け、この電池ケースに軸部を介して垂下アームを取り付け、この垂下アームに角度調整具を介して、キセノン電球を収納した電球ケースが取り付けられている。
【０００５】
前記構造により安定化を図り、収納する電池の数を増やす。また、電池の無駄な消耗を防ぐために点灯スイッチの操作性を高めるべく、前記軸部が、電池ケースと一体のアーム部と垂下アームとを回動自在に連結し、前記アーム部と垂下アームとの摺動面に、相互の回動位置に応じて接離する電池側電極と電球側電極を設け、垂下アームを回動させると電球が消灯するというものである。
【０００６】
また、異なる用途として、自動車美装の作業者（こちらも、単に「ユーザ」という）が用いて好適な構造に特化した額帯電灯への需要があった。なお、自動車美装とは、車内外の清掃、洗車、ワックスがけ、磨き、およびつや出し等である。この自動車美装作業に係る要望を具体化すると、以下のとおりである。なお、説明における主体は前記作業者であり、額帯電灯のユーザである。
【０００７】
（１）自動車美装を行う工場は、多数の照明器具が工場内に常設されているにも関わらず、一般的に照度不足であり、作業視線に沿った美装対象部を必要十分な照度に補足照明する必要がある。作業の仕上がりに対する品質管理のため、目視確認に不可欠の照明を確保する照明器具には相当の輝度が要求される。
【０００８】
（２）照度に対する必要条件は、作業精度を維持できることである。掃除機による車内清掃の合否判定基準の一例に、砂粒や動物の毛等の残留ゴミの有無があり、それらの残留ゴミを肉眼で容易に発見して撲滅できる照度を要する。なお、照度は光源の輝度に比例し、光源と対象物の距離の二乗に反比例する。
【０００９】
（３）光源に対する第１の必要条件は、汚濁の色彩も含めて、美装前の汚濁程度から美装後の仕上がり品質までを目視確認しやすいことである。そのため、太陽光に近い白色灯が好適である。
【００１０】
（４）光源に対する第２の必要条件は、車体外装を近くで目視する細部仕上げ確認、あるいは遠くで目視してムラのないこと、すなわち全体バランス確認等への配慮を要することである。そのためには、ビーム投光、すなわち非拡散光源でなく、照射範囲を広くした自然拡散光源が好適である。
【００１１】
（５）光源に対する第３の必要条件として、長時間の業務用途における使いやすさ、およびランニングコストの観点から、光源用電源として、交換に手間とコストを要とする電池式よりも商用電源による運用が望ましい。
【００１２】
（６）額帯電灯の形状等に対する第１の必要条件は、両手を自由に使える（以下、「ハンズフリー」という）ことである。実際の車内清掃作業において、天井に付着したタバコのヤニ等を除去する際、シートに着座した姿勢で顔を天井に向け、片手で液剤を霧吹きしながら、もう一方の手で、タオルによる拭き上げやブラシがけ等を行うからである。また、車外作業においても、両手に何らかの道具、液剤、ブラシ、布等を持って美装作業を行うことが多いからである。
【００１３】
（７）額帯電灯の形状等に対する第２の必要条件は、対象車両の内外装を汚さず、傷つけず、かつ、やけど等のおそれがなく安全であるである。実際の車内作業において、狭隘な車内での作業用途に好適であること。そのためには、手に持って移動可能な吊り下げ式の蛍光灯、ハロゲンランプ等がある。
【００１４】
なお、額帯電灯に関連する公知文献として、下記の文献がある。
【特許文献１】登録実用新案第３０３１５７４号公報（［００１１］、図９）
【考案の開示】
【考案が解決しようとする課題】
【００１５】
しかしながら、自動動車美装の工場において、額帯電灯に求められる機能を完全に満足するものはなかった。すなわち、光源の発光色一つにして一般的なタングステンのフィラメントを備えた白熱電灯では淡黄色に照明される。また、ＬＥＤ光源の場合でも一見白色に見えて実際は青白く、色彩視認に誤解を与える。また、反射板やレンズを用いた非拡散光源である場合、照射範囲が狭く自動車美装の作業には必ずしも適さない。前記した全体バランス確認等への配慮を要するからである。
【００１６】
この自動車美装の作業で用いる額帯電灯に必要とされる条件は、狭い車内、または車体外部で内装を汚さず、傷つけず、安全、かつ長時間連続運用を低コストで可能にすることである。そこで、全ての条件を満たす照明器具として、商用電源による蛍光灯１を光源とする額帯電灯を提供することを課題とする。
【課題を解決するための手段】
【００１７】
請求項１に係る考案は、商用電源による蛍光灯（１）を光源とする額帯電灯であって、ユーザの額部に装着する額帯と、前記額帯の前方である額帯前部（２）に固定され前記蛍光灯（１）による発光部と、前記発光部を被覆する透光性の軟質カバー（３）を備えたことを特徴とする額帯電灯である。
【００１８】
請求項１に係る考案によれば、額帯により発光手段をユーザの額に装着するため、手で把持する必要がなく、ユーザの両手を自由に使える。そして、ユーザの視線に沿った対象を相当の輝度で照明することが可能である。
【００１９】
また、前記発光手段の光源として蛍光灯１を用いたので、太陽光に近い自然な白色光源により、つまり、手元を明るく照射できて、しかもハンズフリーのため作業効率が向上できる。したがって、色彩認識を含めた美装作業の仕上がり品質を確認できる。
【００２０】
なお、前記額帯電灯を、例えば、自動車美装の作業に用いれば、発光部を被覆する透光性の軟質カバー（３）の保護効果により、作業中のユーザが前記額帯電灯を車体に誤接触して傷つける危険性が少なく、床に置いたり手で持ち上げたりしないため、土埃等を付着してまき散らすこともないので、車体の内装を汚さずに済む。つまり、清浄かつ注意力を要する作業に用いて好適である。
【００２１】
さらに、蛍光灯（１）は白熱灯に比べて高輝度であるため、反射板やレンズを用いない自然拡散光源の状態でも必要な照度を確保できる。つまり、蛍光灯（１）による照射範囲は広く、作業で最も重要な目視確認による品質管理に都合が良い。
【００２２】
請求項２に係る考案は、前記発光部を前記額帯前部（２）に保持する保持手段として、ボールおよび前記ボールを所定角度内で回動自在に保持するハウジングにより構成されたボールジョイント（４）を用いたことを特徴とする請求項１に記載の額帯電灯である。
【００２３】
請求項２に係る考案によれば、ボールおよび前記ボールを所定角度内で回動自在に保持するハウジングにより構成されたボールジョイント（４）を用いて前記額帯前部２に発光部を保持したので、前後左右方向へ適宜に発光部を傾けることが可能である。
【００２４】
なお、ボールジョイント（４）の滑り動作は、外力が加わらない限りお互いが動かない程度の堅さに設定されている。逆に、発光部を何かにぶつけた場合には、自他ともに破損を免れるように衝撃を柔軟に逃がすような作用効果がある。
【００２５】
請求項３に係る考案は、前記軟質カバー（３）には蛇腹（５）を設けたことを特徴とする請求項１または請求項２に記載の額帯電灯である。
【００２６】
請求項３に係る考案によれば、蛇腹（５）を設けたことで軟質カバー（３）の柔軟性を高め、ぶつかっても自他ともに傷つくことが少なくて済む。
【００２７】
請求項４に係る考案は、前記発光部の直下で前記額帯前部（２）に遮光ツバ（６）を配設したことを特徴とする請求項１ないし請求項３の何れか１項に記載の額帯電灯である。
【００２８】
請求項４に係る考案によれば、前記発光部の直下で前記額帯前部（２）に配設された遮光ツバ（６）は、前記発光部からユーザの両目を覆い隠すので、まぶしさの害を避けて保護するのみならず、作業の精度と効率を向上させる事が可能である。
【考案の効果】
【００２９】
（１）商用電源による蛍光灯を光源とする額帯電灯であるため、太陽光に近い自然な白色光源により、視線に沿った対象を相当の輝度で照明することが可能である。つまり、手元を明るく照射できて、しかもハンズフリーのため作業効率が向上できる。したがって、色彩認識を含めた美装作業の仕上がり品質を高精度で確認できる。
【００３０】
（３）特に、蛍光灯を光源とする発光部は、反射板やレンズの支援が不要な自然拡散光源であるため、照射範囲が広く、例えば、自動車美装等の作業に好適である。
【００３１】
（２）額帯電灯なので、例えば、自動車美装等の作業等に用いれば、発光部を床に置いたり手で持ち上げたりしないため、土埃等を付着してまき散らすこともないので、内装を汚さないで済む。また、発光部を被覆する透光性の軟質カバーの保護効果により、作業対象の車体等に発光部を接触して傷つける危険性が少ない。つまり、清浄かつ注意力を要する作業に用いて好適である。さらに、軟質カバーに蛇腹を設けて柔軟性を高めた額帯電灯が何かにぶつかっても自他ともに傷つくことが少なくて済む。
【００３２】
（４）遮光ツバは、光源のまぶしさからユーザの目を保護するのみならず、作業の精度と効率を向上させる効果がある。
【考案を実施するための最良の形態】
【００３３】
本考案の一実施の形態を図に沿って詳細に説明する。また、全図にわたり、符号は重要な部位にのみ付し、同一機能部には同一符号を付して重複説明を避けている。なお、本考案に係る額帯電灯の用途は必ずしも自動車美装業のみに限定されるものではないが、自動車美装業に適用して最も効果的であった一例を説明している。
【００３４】
図１は第１実施形態に係る額帯電灯（以下、「第１種の額帯電灯」という）の使用時における側面図である。図１において、２点破線で示すツバ付き帽子を被った人は、自動車美装業に従事する作業者、すなわち本考案に係る額帯電灯のユーザである。
【００３５】
図２は、図１のものを示す分解斜視図である。また、図３は図１のものを要部のみ一部断裁して示す（ａ）平面図、（ｂ）側面図（ｃ）背面図である。これら、図１〜図３を用いて第１種の額帯電灯を説明する。
【００３６】
図１〜図３に示す第１種の額帯電灯は、ユーザが被った帽子のツバの上側で、ほぼ正面を照射するように装着されている。帽子のツバは、まぶしさよけのためにあるが、特になくとも構わない。また、それに関しては後記説明する。
【００３７】
額帯はユーザの額部を水平に巻回して装着する鉢巻状ベルト、およびその鉢巻状ベルトの前後を前額中央部から頭頂部を経て後頭部にわたり縦に連結する縦帯を備えた構造であり、少なくとも鉢巻き状の環状帯を有してユーザの額部に装着可能である。例えば、容易に脱落しないように顎紐のついた帽子、またはヘルメットの前部に発光部を固定した構造でも構わない（不図示）。
【００３８】
詳しくは、その額帯の前部（以下、単に「額帯前部」という）２に、発光部をほぼ前方向きに固定するため板状のパットが配設され、ユーザの額になじんでずれにくくした構成である。このパットの縁部近傍で所定角度に穿設された長穴等（図２、図３参照）に、三方向に伸びるベルト、すなわち、鉢巻状ベルト、および縦帯が締結されて額帯を構成している。
【００３９】
この額帯により、帽子等を介在させずユーザの額部に直接装着することもできる。また、商用電源で点灯する蛍光灯１（図３（ａ）参照）にはレセプタクルソケット（以下、「ソケット」と略す）を介して電線が接続されており、その電線は縦帯に沿わせて頭頂部近傍で、その縦帯に固定されている。なお、額帯の構造はもとより電線の引き回しや、その固定方法は設計事項につき当業者の選択に委ねる。
【００４０】
なお、請求項１に記載した「額帯」の意味は、「ユーザの額部を覆って固定する構造」である。また、頭部になじみよく装着して外れにくい鉢巻き状の額帯が、ゴム紐等を含んだ弾性構造であればなお好ましい。さらに、不図示の顎紐等が付設されても「額帯」の意味に含まれる。
【００４１】
また、発光部には商用電源で点灯する蛍光灯１を具備している。その発光部には透光性の軟質カバー３を被覆する構造である。その軟質カバー３は、半球形の先端部から円筒形の基端部につながり、その基端部には、軟質カバー３を額帯前部２から着脱自在にするためのネジが形成されている（図２参照）。なお、着脱自在の嵌合手段であれば、ネジである必要はない。
【００４２】
発光部の内部に配設された蛍光灯１は数千時間の寿命で交換を要するので、その際はネジの締結をゆるめて軟質カバー３を外し、交換後に逆の手順で組み立てる（図２参照）。
【００４３】
この軟質カバー３の中程には蛇腹５が設けてある（図１〜図１０参照）。この蛇腹５の伸縮／屈曲作用により、軟質カバー３の柔軟性を高め、照射対象その他にぶつかっても自他ともに傷つくことが少なくて済む。したがって請求項３に記載した「軟質カバー」の意味は、衝突時の衝撃を緩和できる程度の柔軟性を発揮するものであれば材料自体は硬質の樹脂等であっても構わない。具体的には、乳白色、または透明の樹脂、あるいは、シリコンゴム等を成形して構成する。
【００４４】
また、軟質カバー３には過熱防止の放熱穴が適宜に穿設されており、光源となる蛍光灯１から発生する熱を安全に放熱できる。ただし、蛍光灯１の発熱量は白熱灯の数分の１なので、その発熱対策は白熱灯ほどに厳格である必要はない。
【００４５】
なお、探検家や炭鉱作業員が用いる周知の額帯電灯は、光源の近傍に反射板やレンズを備えて非拡散光とし、ユーザの視線に沿った前方向のみを強力に照射する前照灯である。これに対して、本実施形態全般の額帯電灯（以下、「本額帯電灯」と総称する）は、自動車美装業の用途に特化し、蛍光灯１による光源そのままを拡散光としたものである。
【００４６】
すなわち、自動車美装業における額帯電灯は、ビーム投光を嫌う用途であるため、反射板やレンズを用いずに、光源から周囲に向けて満遍なく照射するものであり、光源から球面状の全方位照射に近く、後方にもある程度は照射する。
【００４７】
したがって、光源の直後に位置するユーザの目にも、直射光が照射されるので、本額帯電灯の直射光からユーザの目を保護するために、何らかの遮光手段を必要とする意味で、ツバ付きの帽子を併用（図１参照）するか、あるいは、後記説明するように遮光ツバ６（図４〜図７参照）を併設することが好ましい。
【００４８】
図２に示すように、発光部は額帯前部２に配設される。この額帯前部２にはソケットが前向きに開口するように配設され、そのソケットの開口部の内壁にはメネジを形成する電極が配設され、電球等の口金をネジ止めすることが可能である。周知のように口金をネジ止めされた電球等には電気的接続も同時に施される。
【００４９】
図３（ａ）に示すように、額帯前部２に固定されたソケット内に螺着された電球等を所定空間を保って被覆して保護し、かつ照明光を遮断／減衰させない透明または乳白色の柔軟カバーがソケットの基部外周に螺着されている。なお、柔軟カバー３の中程に形成された蛇腹５の作用効果については、前記説明したとおりである。
【００５０】
また、ソケット内に螺設可能な電球等の形状／寸法に関しては規格に従うものとするが、柔軟カバーの螺着に関して設計事項に過ぎないので、他の取り付け手段により着脱自在にしてもよい。あるいは、ソケットを用いない構造でも構わない。
【００５１】
前記電球等とは近年普及した外形を電球形状にしたコンパクト型蛍光灯１を意味しており白熱電灯を除外している。このコンパクト型蛍光灯１は安定器等の点灯回路まで超小型に形成して封入されたものである。なお、コンパクト型蛍光灯１に関しては、後記説明するように、本額帯電灯の光源に適するものであれば、電球形状でなく長手形状等（不図示）であっても構わない。
【００５２】
図３（ａ）、図３（ｂ）に示す額帯前部２で発光部を固定するパットは、ユーザの額になじむように湾曲した形状である。このパットの三方向を鉢巻状ベルト、および縦帯が締結する。図３（ｃ）に示す額帯後部でも類似のパットの三方向を鉢巻状ベルト、および縦帯が締結して額帯を構成している。
【００５３】
つぎに、図４〜図７を用いて、第２実施形態に係るツバ付き型の額帯電灯（以下、「第２種の額帯電灯」という）を説明する。図４は第２種の額帯電灯の使用時における側面図である。図５は図４のものを示す分解斜視図である。図６は図４のものに係る要部を示す（ａ）平面図、（ｂ）側面図（ｃ）背面図である。図７は図４のものを要部のみ一部断裁して示す（ａ）平面図、（ｂ）側面図（ｃ）背面図である。
【００５４】
図４〜図７に示す第２種の額帯電灯が、図１〜図３に示した第１種の額帯電灯と異なる点は、発光部の直下で額帯前部２に遮光ツバ６を配設した点である。ユーザは、帽子を被らなくとも直に第２種の額帯電灯を用いることで、遮光ツバ６を具備することになる。その他の基本構成は第１種の額帯電灯で説明したとおりなので、重複説明を省略する。
【００５５】
なお、額帯前部２に遮光ツバ６を配設する手段は、接着剤による貼着、縫製、一体形成、その他の何れであっても構わない。さらに、遮光ツバ６の形状は目を保護する遮光の用をなせば足り、そのデザインや材料に至っては当業者の選定に委ねる。
【００５６】
つぎに、図８、図９を用いて、第３実施形態に係る首振り自在型の額帯電灯（以下、「第３種の額帯電灯」という）を説明する。図８は第３種の額帯電灯の分解斜視図である。図９は図８のものを要部のみ一部断裁し、首振り動作を説明する（ａ）平面図、（ｂ）側面図（ｃ）背面図である。
【００５７】
図８、図９に示す第３種の額帯電灯が、図１〜図３に示した第１種の額帯電灯と異なる点は、発光部を前記額帯前部２に保持する保持手段として、ボール、およびそのボールを所定角度内で回動自在に保持するハウジングにより構成されたボールジョイント４を用いた点である。
【００５８】
このボールジョイント４を用いて額帯前部２に発光部を保持したので、前後左右方向へ適宜に発光部を傾けることが可能である（図９（ａ）、図９（ｂ）参照）。その他の基本構成は第１種の額帯電灯で説明したとおりなので、重複説明を省略する。
【００５９】
このボールジョイント４の滑り動作は、外力が加わらない限りお互いが動かない程度の堅さに設定されている。したがって、発光部を何かにぶつけた場合、自他ともに破損を免れるように衝撃を柔軟に逃がすような作用効果がある。
【００６０】
図１０は第４実施形態に係るツバ付き、かつ首振り自在の額帯電灯（以下、「第４種の額帯電灯」という）を説明する。図１０は第４種の額帯電灯の（ａ）平面図、（ｂ）側面図（ｃ）背面図である。第４種の額帯電灯は、前記第３種の額帯電灯で遮光ツバ６を配設した点と、第３種の額帯電灯でボールジョイント４を配設して首振り自在にした点を、全て含めた実施形態である。その他の基本構成は第１種の額帯電灯で説明したとおりなので、重複説明を省略する。
【００６１】
以上の説明で分かるように本額帯電灯によれば、以下の効果が得られる。
（１）商用電源による蛍光灯１を光源とする高輝度の額帯電灯であるため、太陽光に近い自然な白色光源により、視線に沿った対象を相当の照度で照明することを少ないエネルギーコストで運用可能である。つまり、手元を明るく照射できて、しかもハンズフリーのため作業効率が向上できる。したがって、色彩認識を含めた美装作業等の仕上がり品質を高精度で確認できる。つまり、清浄かつ注意力を要する作業に用いて好適である。
【００６２】
また、発光部を被覆する透光性の軟質カバー３による保護効果により、作業対象の車体等に発光部を接触しても傷つける危険性が少ない。さらに、軟質カバーに蛇腹を設けて柔軟性を高めた額帯電灯が何かにぶつかっても自他ともに傷つくことが少なくて済む。
【００６３】
（２）ボールジョイント４の滑り動作は、外力が加わらない限りお互いが動かない程度の堅さに設定されている。逆に、発光部を何かにぶつけた場合には、自他ともに破損を免れるように衝撃を柔軟に逃がすような作用効果がある。例えば、自動車美装の作業に用いれば、作業対象の車体に発光部を接触して傷つける危険性を、さらに少なくすることが可能である。
【００６４】
（３）反射板やレンズを用いない自然拡散光源であるため、照射範囲が広く、例えば、自動車美装等の作業に好適である。
【００６５】
（４）遮光ツバ６は、光源のまぶしさからユーザの目を保護するのみならず、作業の精度と効率を向上させる効果がある。
【００６６】
なお、本願考案の主目的は、自動車美装の作業等に好適な照明器具として、作業対象を汚さず、傷つけず、安全、かつ長時間連続運用を低コストで可能にする額帯電灯を提供することである。また、本願考案の核心は、商用電源による蛍光灯１を光源とする額帯電灯であって、ユーザの額部に装着する額帯と、その額帯の前方である額帯前部２に固定され蛍光灯１による発光部と、発光部を被覆する透光性の軟質カバー３を備えたことである。
【００６７】
軟質カバー３は材料や形状に拘わらず、実質上、軟質で軽い衝突時に自他を損傷させない柔軟性を確保すれば足りる。たとえ、硬質の材料であっても、蛇腹５で伸縮/屈曲できれば軟質カバー３と称することができる。
【００６８】
また、発光部を額帯に保持する保持手段として、ボールおよびボールを所定角度内で回動自在に保持するハウジングにより構成されたボールジョイント４を用いている。さらに、発光部の直下で額帯の前部に遮光ツバ６を配設するバリエーションもある。
【００６９】
他の応用実施形態であっても、本願考案の核心となる技術思想を含むものは全て本願考案に含まれる。例えば、光源として適するコンパクト型蛍光灯１には各種の規格品、その他が市販されており、何れを用いても構わない。また、額帯の形状も自由であり、さらに遮光ツバ６のデザインも遮光ツバ６の目的を逸脱しない限り自由である。
【００７０】
特に前記コンパクト型蛍光灯１には、色温度が３０００Ｋの白熱電灯色、３５００Ｋの温白色、４２００Ｋの白色、５０００Ｋの昼白色、５５００Ｋ・５８００Ｋのナチュラルホワイト、６７００Ｋの昼光色、その他も豊富にある。さらに、高周波点灯専用の２本柱タイプ（不図示）、４本のガラス管を接合した構造で白熱電球形状のもの（本実施形態）、ソケットの口金がネジ式（本実施形態）であるか否か、ネジ式で大・中・小の何れの形態であるか、あるいは、ソケットを用いるか否かの区別もある。これらの何れを用いた額帯電灯であって全て本願考案に含まれる。
【図面の簡単な説明】
【００７１】
【図１】第１実施形態に係る額帯電灯の使用時における側面図である。
【図２】図１のものを示す分解斜視図である。
【図３】図１のものを要部のみ一部断裁して示す（ａ）平面図、（ｂ）側面図（ｃ）背面図である。
【図４】第２実施形態に係る（ツバ付き）額帯電灯の使用時における側面図である。
【図５】図４のものを示す分解斜視図である。
【図６】図４のものに係る要部を示す（ａ）平面図、（ｂ）側面図（ｃ）背面図である。
【図７】図４のものを要部のみ一部断裁して示す（ａ）平面図、（ｂ）側面図（ｃ）背面図である。
【図８】第３実施形態に係る（首振り自在）額帯電灯の分解斜視図である。
【図９】図８のものを要部のみ一部断裁し、首振り動作を説明する（ａ）平面図、（ｂ）側面図（ｃ）背面図である。
【図１０】第４実施形態に係る（ツバ付き、首振り自在）額帯電灯の（ａ）平面図、（ｂ）側面図（ｃ）背面図である。
【符号の説明】
【００７２】
１  蛍光灯
２  額帯前部
３  軟質カバー
４  ボールジョイント
５  蛇腹
６  遮光ツバ
【図１】
0003125671.tif 000003
【図２】
0003125671.tif 000004
【図３】
0003125671.tif 000005
【図４】
0003125671.tif 000006
【図５】
0003125671.tif 000007
【図６】
0003125671.tif 000008
【図７】
0003125671.tif 000009
【図８】
0003125671.tif 000010
【図９】
0003125671.tif 000011
【図１０】
0003125671.tif 000012